(57)【要約】      （修正有）【課題】電気的に火花が発生しない接合方法の提案ならびに光線の通路となるＰＤ線を配備したＰＤ接合方式の構造の提案ならびに当該接合方式ならびにＰＤ線を配備した一群のＰＤ継手およびＰＤ部品の提案。【解決手段】光線の通路となるＰＤ線１にレーザー光線や赤外線領域の波長の光線を通し、当該光線がＰＤ線の表面より線外へ漏出することにより合成樹脂製のソケット本体１０内周面と差し込まれた管の外周面を加熱して溶融させて、接合面を合成樹脂にて一体化させる。【選択図】図１
2018189158.tif 000002
【特許請求の範囲】
【請求項１】
光線の通路となるＰＤ線にレーザー光線や赤外線領域の波長の光線を通し、当該光線がＰＤ線の表面より線外へ漏出することにより合成樹脂製のソケット本体内周面と差し込まれた管の外周面を加熱して溶融させて、接合面を合成樹脂にて一体化させる特徴である当該接合手段のＰＤ接合方式の構造。
【請求項２】
電気的に火花が発生しない接合方法により、燃焼の三要素の着火源となる火花の発生を完全に封じることが可能となる特徴を有し、燃焼の三要素の着火源を埋設穴内の作業現場より取り除き安全な接合作業をおこなえる特徴を有するＰＤ接合方式の構造。
【請求項３】
請求項１ならびに請求項２に記載の特徴を有するＰＤ接合方式を応用した一群のＰＤ継手ならびに一群のＰＤ部品。
【請求項４】
一群の圧力抑制安全装置を装着する請求項３記載の一群のＰＤ継手ならびに一群のＰＤ部品。
【請求項５】
請求項１および請求項２に記載の接合方式の名称をＰＤＯＣＪ接合方式あるいはＰＤ接合方式と命名して、型名等に使用する権利。
【請求項６】
請求項３および請求項４に記載の一群のＰＤ継手ならびに一群のＰＤ部品の名称をＰＤＯＣＪ継手あるいはＰＤ継手ならびにＰＤ部品と命名して、型名等に使用する権利。
【請求項７】
請求項１に記載のＰＤ線という呼称を使用する権利。
【発明の詳細な説明】
【技術分野】
【０００１】
本発明は、ポリエチレンや塩化ビニールなどの合成樹脂製の管継手ならびに開口部口を閉塞する部品を溶着固着あるいはＰＤ接合する接合方式であるＰＤ（ＰＤＯＣＪ）方式に関する。
【０００２】
ならびに、ＰＤ接合により合成樹脂製の管に接合される各種の一群のＰＤ継手に関する。
【０００３】
ならびに、ＰＤ接合により合成樹脂製の継手に接合される各種の一群のＰＤ部品に関する。
【０００４】
および、当該接合方式のＰＤ（ＰＤＯＣＪ）方式の命名に関する。
【背景技術】
【０００５】
従来のＥＦ継手では、ＥＦ接合するためのＥＦ線と端子を配備して融着用のコントローラーに接続した後に、ＥＦ線に通電して接合面を溶着固着するＥＦ接合がなされている。
【０００６】
当該ＥＦ継手には、管同士を接続するソケットやエルボならびに分岐取り出しするサービスチーならびにバイパスを構築したり、玉入れを行うバイパスサドルが使われている。他には、管端を閉塞するキャップやパージが出来るキャップなどの各種継手やＥＦ部品などがある。
【０００７】
背景技術の代表として、従来の先行文献１を取り上げる。当該の継手の両端に合成樹脂製の管を差し入れ、該継手に配備されたＥＦ線に通電して継手とそれぞれの管を溶着してＥＦ接合する。
【０００８】
それに伴って、両端に差し入れてあった合成樹脂製の管はガス漏れもなく、さらに腐食の不安も殆どない合成樹脂にて一体に接合された。
【０００９】
従来のＥＦ接合ではＥＦ線に通電して接合をおこなう。接続する管の本数が増えるたびに、ＥＦ継手をＥＦ接合する場所まで、足下の悪い埋設穴の周囲をコントローラーと一緒に電気コードドラムを延ばして行かなければならない。または、ドラムの代わりに小型の移動しやすい発電機を移動させ使用することが行われている。
【００１０】
また、管の入れ替えの同時工事においては、埋設予定の掘削した埋設穴の両端では、ゴム製やビニール製の風船状の玉を入れて既設管のガスを一時的に止めている。管の内部にある錆やゴミなどにより玉と管内壁とに隙間が生じるため、簡易な対策は施すが完全にガスを止めることは難しい。このようにガスを止めた後に、既設管を切断して新設のポリエチレン管と入れ替える作業を行っている。
【００１１】
そのため、狭い埋設穴の中で管や継手などをＥＦ接合するために継手の端子とコントローラーを接触導通させる。また、ドラムとコントローラーの電源プラグとを接触導通させている。したがって、接触部が何らかの原因で動いて火花などが発生する可能性もあり燃焼の三要素のガスと空気と火花の三要素が揃う危険性がある。
【００１２】
そこで、埋設穴内やその周辺において、通電の必要の無い作業や継手類や接合法により管の入れ替えなどの作業を安全に施工を進めたい。
【先行技術文献】
【特許文献】
【００１３】
【特許文献１】特開平５−１５７１８９号
【特許文献２】特願２０１７−０７８０８４号
【非特許文献】
【００１４】
【非特許文献１】商標登録第４１８５４２６号
【発明の概要】
【発明が解決しようとする課題】
【００１５】
従来技術に鑑みて、
電気的に火花が発生しない接合方法を発明して、燃焼の三要素の着火源となる火花の発生を完全に封じる。さらに、燃焼の三要素の着火源を埋設穴内の作業現場より取り除き安全な作業をおこなえる管の接続方法ならびに継手の接続方法に第一特徴を有する接合方式の提案を第一課題とする。
【００１６】
つぎに、従来技術に鑑みて、
電気的に火花が発生しない接合方法を発明して、燃焼の三要素の着火源となる火花の発生を完全に封じる。さらに、燃焼の三要素の着火源を工事現場より取り除き安全な作業をおこなえる当該接合方式によって接合する第二特徴を有する一群のＰＤ継手類や一群のＰＤ部品類の提案を第二課題とする。
【００１７】
つぎに、
当該接合方式の構造を有する接合方法を従来の接合方法と区別する上で、特色ある命名を付与することを第三の課題とする。
【課題を解決するための手段】
【００１８】
本発明は、
従来のＥＦ線通電するＥＦ接合と異なり、光線の通路となるＰＤ線にレーザー光線や赤外線領域の波長の光線を通し、当該光線がＰＤ線の表面より線外へ漏出することにより合成樹脂製のソケット本体内周面と差し込まれた管の外周面を加熱して溶融させて、接合面を合成樹脂にて一体化させる。
【００１９】
このように、光線により溶融させて接合面を合成樹脂にて一体化させる接合方式であるＰＤ接合を用いるので、埋設穴内における管同士の接合作業や管と各種ＰＤ継手類やＰＤ部品やＰＤ継手とＰＤ部品の接合作業に電気を使用することが全くない。
【００２０】
したがって、
電気的に火花が発生しない接合方法を発明したことにより、燃焼の三要素の着火源となる火花の発生を完全に封じることが可能となる特徴を有することになった。さらに、燃焼の三要素の着火源を埋設穴内の作業現場より取り除き安全な接合作業をおこなえる第一特徴を有するＰＤ接合方式である。
【００２１】
この第一特徴である当該接合手段のＰＤ接合方式を第一課題の解決手段とする。また、当該第一特徴のＰＤ接合方式を第一の発明とする。
【００２２】
つぎに、本発明は、
電気的に火花が発生しない接合方法を発明して、燃焼の三要素の着火源となる火花の発生を完全に封じる。さらに、燃焼の三要素の着火源を工事現場より取り除き安全な作業をおこなえる当該接合方式により接合する第二特徴を一群のＥＦ継手類や一群のＥＦ部品類に応用して、ＥＦ継手やＥＦ部品をＰＤ継手ならびにＰＤ部品とする手段を第二課題の解決手段とする。また、当該第二特徴のＰＤ継手ならびにＰＤ部品を第二の発明とする。
【００２３】
つぎに、本発明は、
当該接合方式の構造を有する接合方法を従来の接合方法と区別する上で、特色ある命名を付与することに 非特許文献１  商標登録第４１８５４２６号を用いる。登録になっている  ＰＤＯＣＪ  より頭２文字のＰＤを使用してＰＤ方式あるいは５文字全てを使用してＰＤＯＣＪ方式と命名する。
【００２４】
このように本発明者の商標を使用する手段により、特色ある命名となったので、第三課題の解決ができる。この該命名を第三の発明とする。
【００２５】
さらに、従来の一群のＥＦ継手や一群のＥＦ部品に使用するＥＦ接合より、本発明のＰＤＯＣＪ方式あるいはＰＤ方式の接合手段に代えることにより、一群のＰＤ継手や一群のＰＤ部品とする。
【００２６】
ここで、当該ＰＤ方式の接合手段を用いた一群のＰＤ継手や一群のＰＤ部品を第四の発明とする。
【００２７】
なお、ＰＤ継手やＰＤ部品の命名も前記同様に  非特許文献１  商標登録第４１８５４２６号を用いて特色ある命名とする。
【００２８】
ここで、ＰＤ方式の接合手段を用いた一群のＰＤ継手や一群のＰＤ部品の命名について第５の発明とする。
【００２９】
また、従来の一群のＥＦ継手や一群のＥＦ部品については、特許文献２  特願２０１７−０７８０８４号を参照ください。
【発明の効果】
【００３０】
以上により、
電気的に火花が発生しない接合方法を発明したことにより、燃焼の三要素の着火源となる火花の発生を完全に封じることが可能となった。さらに、燃焼の三要素の着火源を埋設穴内の作業現場より取り除き安全な接合作業をおこなえる第一特徴を有するＰＤ接合方式を提供して、安全な工事施工ができる様になった。
【００３１】
さらに、特筆すべき点は、着火源とならない接合方式であるので、都市ガスより爆発力の大きな水素導管の配管現場などに利用させて作業員のみならず通行人ならびに周囲の住民の生命および資産への危害を激減させる最適な接合法である。
【００３２】
また、電気的に火花が発生しない接合方法を発明したことにより、燃焼の三要素の着火源となる火花の発生を完全に封じ、燃焼の三要素の着火源を工事現場より取り除き安全な作業をおこなえる当該接合方式により接合する第二特徴を有する一群のＥＦ継手類や一群のＥＦ部品類に応用し、ＰＤ継手ならびにＰＤ部品として供給可能となった。
【００３３】
さらに、登録商標を使用することにより、特色のある命名ができた。接合手段としてのＰＤＯＣＪ方式あるいはＰＤ方式の命名、ならびに、ＰＤ継手ならびにＰＤ部品の命名に発明者の特色を表現できた。
【００３４】
なお、継手等の型名等は、ＰＤソケット継手やＰＤキャップ継手の様に、ＰＤの２文字と継手の間に従来の呼称を入れることを基本とする。ＰＤ部品についても同様です。
【図面の簡単な説明】
【００３５】
【図１】ＰＤソケット継手全体斜視図
【図２】ＰＤソケット継手正面図と側面図
【図３】ＰＤソケット継手断面図
【発明を実施するための形態】
【００３６】
本発明は、従来のＥＦ線通電するＥＦ接合と異なり、光の通路となるＰＤ線にレーザー光線や赤外線領域の波長の光線を通し、当該光線がＰＤ線の表面より線外漏出することにより合成樹脂製のソケット本体ならびに管の外周面を加熱して溶融させて、接合面を合成樹脂にて一体化させる形態をなしている。
【００３７】
このような形態は、光線により溶融させて接合面を合成樹脂にて一体化させる接合方式であるＰＤ接合を用いるので、埋設穴内における管同士の接合作業や管と各種ＰＤ継手類やＰＤ部品やＰＤ継手とＰＤ部品の接合作業に電気を使用することが全くないという形態でもある。
【００３８】
したがって、このような形態は、燃焼の三要素の着火源となる火花の発生を完全に封じることが可能となる特徴を有し、さらに、燃焼の三要素の着火源を埋設穴内の作業現場より取り除き安全な接合作業をおこなえる第一特徴を有するＰＤ接合方式の形態をなしている。
【００３９】
この第一特徴である当該接合手段のＰＤ接合方式は、第一特徴を有する第一の発明となっている。
【００４０】
また、電気的に火花が発生しない接合方法を発明したことにより、燃焼の三要素の着火源となる火花の発生を完全に封じ、燃焼の三要素の着火源を工事現場より取り除き安全な作業をおこなえる当該接合方式により接合する第二特徴を有する一群のＥＦ継手類や一群のＥＦ部品類に応用した形態をなし、当該形態によりＰＤ継手ならびにＰＤ部品として新たな工事材料が供給可能となった。
【実施例】
【００４１】
以上を踏まえて本発明の実施例を説明する。本発明の代表としてＰＤソケット継手を取り上げる。図１は、ＰＤソケット継手全体斜視図である。図２は、ＰＤソケット継手正面図と側面図である。この２つの図を同時に参照して説明します。
【００４２】
ここで、１はＰＤ線であり溶着するための光線の通り道である。３は光接続端子であり光線の光源より光ファイバーを引き込み、光ファイバーの先端のコネクターを装着して、ＰＤ線に光線を連絡する。５は連絡部であり、右側螺旋状のＰＤ線と左側の螺旋状のＰＤ線を連絡している。７はインジケーターであり、従来のＥＦ接合用の継手に用いられている一般的なインジケーターである。１０はＰＤソケット継手本体である。
【００４３】
本発明のＰＤソケット継手は、１０のＰＤソケット継手本体と本体の両サイドに１のＰＤ線と該ＰＤ線の両端が接続される一対の３の光接続端子および一対の７のインジケーターにより構成される。
【００４４】
各部構成要素を詳細に説明する。１０のＰＤソケット継手本体は合成樹脂製であり、ポリエチレンやポリブデンや塩化ビニルなどの材質である。１のＰＤ線は、前記合成樹脂製のＰＤソケット継手本体の内周面に埋め込まれて配備される。
【００４５】
この１のＰＤ線は石英ガラスやＢＫ７などのガラス製であり、通信用のファイバーなどと同様である。さらに、無色で透明な低密度のポリエチレンなどの材質でも支障はない。
【００４６】
本発明では、光線の通路となる１のＰＤ線にレーザー光線や赤外線領域の波長の光線を通し、当該光線が１のＰＤ線の表面より線外へ漏出することにより合成樹脂製のソケット本体と差し込まれた管の外周面を加熱して溶融させて、接合面を合成樹脂にて一体化させる。
【００４７】
このように、光線により溶融させて接合面を合成樹脂にて一体化させる接合方式であるＰＤ接合を用いるので、埋設穴内における管同士の接合作業や管と各種ＰＤ継手類やＰＤ部品やＰＤ継手とＰＤ部品の接合作業に電気を使用することが全くないので重いコードドラムなどを引き回すことも必要ない。
【００４８】
当該のＰＤ接合では、光源より接合作業をする所までは光ファイバーにより光線がひきまされる。しかしながら、光ファイバーは１００メートル引きますとしてもファイバーの重量は電気ドラムと比較すると殆ど重量を感じない重さである。この様な利点も特筆すべき効果である。
【００４９】
また、前述の様に電気を必要としないので、端子部の接触導通させるＥＦ接合の様に電気的な火花が発生しないので、燃焼の三要素の着火源となる火花の発生を完全に封じることが可能となる特徴を有することになった。
【００５０】
故に、本発明は、燃焼の三要素の着火源を埋設穴内の作業現場より取り除き安全な接合作業をおこなえる第一特徴を有するＰＤ接合方式であり、当該第一特徴のＰＤ接合方式が第一の発明となっている。
【００５１】
つぎに、３の光接続端子について、
図３は、ＰＤソケット継手断面図である。本図より１のＰＤ線の両端がそれぞれ３の光接続端子に接続されている。この３の光接続端子は（図示していない。）、光源より接合場所まで光ファイバーにて光線を引き回して来て、光ファイバーの先端に配備されている光接続用のコネクターが装着される。装着されると同時に、該光接続端子を介して１のＰＤ線に光線が入光される。
【００５２】
ここで、従来のＥＦ継手の端子との違いは、電流の流れは関係ないので、右側の光接続端子からも左側の光接続端子からも同時に入光される。右側の光接続端子は右より差し込まれた管の外周面と１０のＰＤソケット継手本体内周面を、右側の螺旋状に配置された１のＰＤ線によって主に溶融させる。螺旋部を通過した残りの入光された光線は、５の連絡部を通り左側の螺旋状のＰＤ線へ達して左側を溶融させる。同様に、左側の光接続端子から入光した光線も同様になっている。
【００５３】
この様に、右の螺旋状のＰＤ線と左側の螺旋状のＰＤ線を１０のＰＤソケット継手本体内で連絡してあることは、前述の様に右側の光接続端子から入光した光線は右側の螺旋状のＰＤ線を通り過ぎ、左側側の螺旋状のＰＤ線でも接合面の溶融に寄与するので、左右関係なく均一な溶融になりやすい利点がある。それでも残る光線は左側の光接続端子より光源へ帰還する。また、左側よりの入光した光線は同様に右側より帰還する。
【００５４】
また、図示していなが、前記５の連絡部を配備せずに、左右の螺旋状のＰＤ線をそれぞれ独立させても支障はない。
【００５５】
つぎに、７のインジケーターについて、
従来のＥＦ継手に用いられているインジケーターと同様で支障はない。ＥＦ接合でもＰＤ接合でも同様で溶融が正常か否かを目視できれば役目を果たすので、より性能が良く安価にできればその構造は問わない。
【００５６】
以上で使用した実施例の図１より図３には、左右より差し込まれる管の位置決めの凹凸や位置決めプレートの配備などに関しては省略してあるので、適宜最適な方法を選択して支障はない。
【００５７】
ここで、第二課題の解決とし、当該第二特徴のＰＤ継手ならびにＰＤ部品を第二の発明とした内容についての説明をする。特許文献２  特願２０１７−０７８０８４号に記載の一群のＥＦ継手ならびに一群のＥＦ部品において、ＥＦ接合用のＥＦ線と端子を本発明のＰＤ線ならびに光接続端子に置き換えるだけで、ＰＤ接合の一群のＰＤ継手ならびに一群のＥＦ部品となるので詳細は省略する。
【００５８】
また、特許文献２  特願２０１７−０７８０８４号に記載の一群の圧力抑制安全装置を本発明の一群のＰＤ継手ならびに一群のＥＦ部品に装着することは何の支障もなく当然の流れである。
【００５９】
最後に、
ＰＤＯＣＪ方式の各部位の詳細な説明は、・・・・に関する一群の追加、という発明の名称で順次一群の追加を加えていきます。
【産業上の利用可能性】
【００６０】
従来技術の各種ＥＦ継手ならびにＥＦ部品を従来のＥＦ線をＰＤ線に代えることによりＰＤ継手ならびにＰＤ部品として供給することが出来て、燃焼の三要素より着火源を取り除いた安全なガス工事ならびに今後増加する予想の水素配管工事を安全に施工出来る可能性が濃厚である。
【００６１】
さらに、従来のガス事故では、工具や作業上の火花や作業者の静電気などが着火源となり周囲の通行人や近隣の資産財産も巻き込む危害が発生していた。本発明によりこれらの危害を最小限とする工事道具類や材料の新規な供給が期待できる。
【符号の説明】
【００６２】
１    ＰＤ線
３    光接続端子
５    連絡部
７    インジケーター
１０  ＰＤソケット継手本体
【図１】
2018189158.tif 000003
【図２】
2018189158.tif 000004
【図３】
2018189158.tif 000005
【手続補正書】
【提出日】平成30年1月5日(2018.1.5)
【手続補正１】
【補正対象書類名】明細書
【補正対象項目名】全文
【補正方法】変更
【補正の内容】
【発明の詳細な説明】
【技術分野】
【０００１】
本発明は、ポリエチレンや塩化ビニールなどの合成樹脂製の管継手ならびに開口部口を閉
塞する部品を溶着固着あるいはＰＤ接合する接合方式であるＰＤ（ＰＤＯＣＪ）方式に関
する。
【０００２】
ならびに、ＰＤ接合により合成樹脂製の管に接合される各種の一群のＰＤ継手に関する。
【０００３】
ならびに、ＰＤ接合により合成樹脂製の継手に接合される各種の一群のＰＤ部品に関する
。
【０００４】
および、当該接合方式のＰＤ（ＰＤＯＣＪ）方式の命名に関する。
【背景技術】
【０００５】
従来のＥＦ継手では、ＥＦ接合するためのＥＦ線と端子を配備して融着用のコントローラ
ーに接続した後に、ＥＦ線に通電して接合面を溶着固着するＥＦ接合がなされている。
【０００６】
当該ＥＦ継手には、管同士を接続するソケットやエルボならびに分岐取り出しするサービ
スチーならびにバイパスを構築したり、玉入れを行うバイパスサドルが使われている。他
には、管端を閉塞するキャップやパージが出来るキャップなどの各種継手やＥＦ部品など
がある。
【０００７】
背景技術の代表として、従来の先行文献１を取り上げる。当該の継手の両端に合成樹脂製
の管を差し入れ、該継手に配備されたＥＦ線に通電して継手とそれぞれの管を溶着してＥ
Ｆ接合する。
【０００８】
それに伴って、両端に差し入れてあった合成樹脂製の管はガス漏れもなく、さらに腐食の
不安も殆どない合成樹脂にて一体に接合された。
【０００９】
従来のＥＦ接合ではＥＦ線に通電して接合をおこなう。接続する管の本数が増えるたびに
、ＥＦ継手をＥＦ接合する場所まで、足下の悪い埋設穴の周囲をコントローラーと一緒に
電気コードドラムを延ばして行かなければならない。または、ドラムの代わりに小型の移
動しやすい発電機を移動させ使用することが行われている。
【００１０】
また、管の入れ替えの同時工事においては、埋設予定の掘削した埋設穴の両端では、ゴム
製やビニール製の風船状の玉を入れて既設管のガスを一時的に止めている。管の内部にあ
る錆やゴミなどにより玉と管内壁とに隙間が生じるため、簡易な対策は施すが完全にガス
を止めることは難しい。このようにガスを止めた後に、既設管を切断して新設のポリエチ
レン管と入れ替える作業を行っている。
【００１１】
そのため、狭い埋設穴の中で管や継手などをＥＦ接合するために継手の端子とコントロー
ラーを接触導通させる。また、ドラムとコントローラーの電源プラグとを接触導通させて
いる。したがって、接触部が何らかの原因で動いて火花などが発生する可能性もあり燃焼
の三要素のガスと空気と火花の三要素が揃う危険性がある。
【００１２】
そこで、埋設穴内やその周辺において、通電の必要の無い作業や継手類や接合法により管
の入れ替えなどの作業を安全に施工を進めたい。
【先行技術文献】
【特許文献】
【００１３】
【特許文献１】特開平５−１５７１８９号
【特許文献２】特願２０１７−０７８０８４号
【非特許文献】
【００１４】
【非特許文献１】商標登録第４１８５４２６号
【発明の概要】
【発明が解決しようとする課題】
【００１５】
従来技術に鑑みて、
電気的に火花が発生しない接合方法を発明して、燃焼の三要素の着火源となる火花の発生
を完全に封じる。さらに、燃焼の三要素の着火源を埋設穴内の作業現場より取り除き安全
な作業をおこなえる管の接続方法ならびに継手の接続方法に第一特徴を有する接合方式の
提案を第一課題とする。
【００１６】
つぎに、従来技術に鑑みて、
電気的に火花が発生しない接合方法を発明して、燃焼の三要素の着火源となる火花の発生
を完全に封じる。さらに、燃焼の三要素の着火源を工事現場より取り除き安全な作業をお
こなえる当該接合方式によって接合する第二特徴を有する一群のＰＤ継手類や一群のＰＤ
部品類の提案を第二課題とする。
【００１７】
つぎに、
当該接合方式の構造を有する接合方法を従来の接合方法と区別する上で、特色ある命名を
付与することを第三の課題とする。
【課題を解決するための手段】
【００１８】
本発明は、
従来のＥＦ線通電するＥＦ接合と異なり、光線の通路となるＰＤ線にレーザー光線や赤外
線領域の波長の光線を一方の端子より入光させ、光線が他方の端子より光源に帰還する間に、当該光線がＰＤ線の内部より表面を通過し線外へ漏出することによりＰＤ線周囲の合成樹脂を加熱して溶融させる。したがって、合成樹脂製のソケット本体内周面と差し込まれた管の外周面を加熱して溶融させて、接合面を合成樹脂にて組織的に一体化させる。
【００１９】
また、当該の光線はレーザー光やハロゲンランプ光が使用される。その代表例として、ＰＤ接合に使用するＰＤ線に入光される光線は、波長１０６４ｎｍのＮｄ：ＹＡＧレーザー光線、あるいは、０．７８μｍより１０００μｍの赤外線波長域の光線、あるいは、赤外線波長域の光線と可視光線や紫外線などの波長域も含んだ光線である。また、１０７０ｎｍのＹｂ：ファイバーレーザーなどもある。
【００２０】
このように、光線により溶融させて接合面を合成樹脂にて組織的に一体化させる接合方式であるＰＤ接合を用いるので、埋設穴内における管同士の接合作業や管と各種ＰＤ継手類やＰＤ部品やＰＤ継手とＰＤ部品の接合作業に電気を使用することが全くない。ただし、光源の発生源では電力を必要とするが、作業掘削穴より安全な距離離れて配置される。また、光源と作業掘削穴は光ファイバーで連絡される。
【００２１】
したがって、
電気的に火花が発生しない接合方法を発明したことにより、燃焼の三要素の着火源となる
火花の発生を完全に封じることが可能となる特徴を有することになった。さらに、燃焼の
三要素の着火源を埋設穴内の作業現場より取り除き安全な接合作業をおこなえる第一特徴
を有するＰＤ接合方式である。
【００２２】
この第一特徴である当該接合手段のＰＤ接合方式を第一課題の解決手段とする。また、当
該第一特徴のＰＤ接合方式を第一の発明とする。
【００２３】
つぎに、本発明は、
電気的に火花が発生しない接合方法を発明して、燃焼の三要素の着火源となる火花の発生
を完全に封じる。さらに、燃焼の三要素の着火源を工事現場より取り除き安全な作業をお
こなえる当該接合方式により接合する第二特徴を一群のＥＦ継手類や一群のＥＦ部品類に
応用して、ＥＦ継手やＥＦ部品をＰＤ継手ならびにＰＤ部品とする手段を第二課題の解決
手段とする。また、当該第二特徴のＰＤ継手ならびにＰＤ部品を第二の発明とする。
【００２４】
つぎに、本発明は、
当該接合方式の構造を有する接合方法を従来の接合方法と区別する上で、特色ある命名を
付与することに 非特許文献１  商標登録第４１８５４２６号を用いる。登録になってい
る  ＰＤＯＣＪ  より頭２文字のＰＤを使用してＰＤ方式あるいは５文字全てを使用して
ＰＤＯＣＪ方式と命名する。
【００２５】
このように本発明者の商標を使用する手段により、特色ある命名となったので、第三課題
の解決ができる。この該命名を第三の発明とする。
【００２６】
さらに、従来の一群のＥＦ継手や一群のＥＦ部品に使用するＥＦ接合より、本発明のＰＤ
ＯＣＪ方式あるいはＰＤ方式の接合手段に代えることにより、一群のＰＤ継手や一群のＰ
Ｄ部品とする。
【００２７】
ここで、当該ＰＤ方式の接合手段を用いた一群のＰＤ継手や一群のＰＤ部品を第四の発明
とする。
【００２８】
なお、ＰＤ継手やＰＤ部品の命名も前記同様に  非特許文献１  商標登録第４１８５４２
６号を用いて特色ある命名とする。
【００２９】
ここで、ＰＤ方式の接合手段を用いた一群のＰＤ継手や一群のＰＤ部品の命名について第
５の発明とする。
【００３０】
また、従来の一群のＥＦ継手や一群のＥＦ部品については、特許文献２  特願２０１７−
０７８０８４号を参照ください。
【発明の効果】
【００３１】
以上により、
電気的に火花が発生しない接合方法を発明したことにより、燃焼の三要素の着火源となる
火花の発生を完全に封じることが可能となった。さらに、燃焼の三要素の着火源を埋設穴
内の作業現場より取り除き安全な接合作業をおこなえる第一特徴を有するＰＤ接合方式を
提供して、安全な工事施工ができる様になった。
【００３２】
さらに、特筆すべき点は、着火源とならない接合方式であるので、都市ガスより爆発力の
大きな水素導管の配管現場などに利用させて作業員のみならず通行人ならびに周囲の住民
の生命および資産への危害を激減させる最適な接合法である。
【００３３】
また、電気的に火花が発生しない接合方法を発明したことにより、燃焼の三要素の着火源
となる火花の発生を完全に封じ、燃焼の三要素の着火源を工事現場より取り除き安全な作
業をおこなえる当該接合方式により接合する第二特徴を有する一群のＥＦ継手類や一群の
ＥＦ部品類に応用し、ＰＤ継手ならびにＰＤ部品として供給可能となった。
【００３４】
さらに、登録商標を使用することにより、特色のある命名ができた。接合手段としてのＰ
ＤＯＣＪ方式あるいはＰＤ方式の命名、ならびに、ＰＤ継手ならびにＰＤ部品の命名に発
明者の特色を表現できた。
【００３５】
なお、継手等の型名等は、ＰＤソケット継手やＰＤキャップ継手の様に、ＰＤの２文字と
継手の間に従来の呼称を入れることを基本とする。ＰＤ部品についても同様です。
【図面の簡単な説明】
【００３６】
【図１】ＰＤソケット継手全体斜視図
【図２】ＰＤソケット継手正面図と側面図
【図３】ＰＤソケット継手断面図
【発明を実施するための形態】
【００３７】
本発明は、従来のＥＦ線通電するＥＦ接合と異なり、光の通路となるＰＤ線にレーザー光
線や赤外線領域の波長の光線を通し、当該光線がＰＤ線の表面より線外漏出することによ
り合成樹脂製のソケット本体ならびに管の外周面を加熱して溶融させて、接合面を合成樹
脂にて組織的に一体化させる形態をなしている。
【００３８】
このような形態は、光線により溶融させて接合面を合成樹脂にて一体化させる接合方式で
あるＰＤ接合を用いるので、埋設穴内における管同士の接合作業や管と各種ＰＤ継手類や
ＰＤ部品やＰＤ継手とＰＤ部品の接合作業に電気を使用することが全くないという形態で
もある。
【００３９】
したがって、このような形態は、燃焼の三要素の着火源となる火花の発生を完全に封じる
ことが可能となる特徴を有し、さらに、燃焼の三要素の着火源を埋設穴内の作業現場より
取り除き安全な接合作業をおこなえる第一特徴を有するＰＤ接合方式の形態をなしている
。
【００４０】
この第一特徴である当該接合手段のＰＤ接合方式は、第一特徴を有する第一の発明となっ
ている。
【００４１】
また、電気的に火花が発生しない接合方法を発明したことにより、燃焼の三要素の着火源
となる火花の発生を完全に封じ、燃焼の三要素の着火源を工事現場より取り除き安全な作
業をおこなえる当該接合方式により接合する第二特徴を有する一群のＥＦ継手類や一群の
ＥＦ部品類に応用した形態をなし、当該形態によりＰＤ継手ならびにＰＤ部品として新た
な工事材料が供給可能となった。
【実施例】
【００４２】
以上を踏まえて本発明の実施例を説明する。本発明の代表としてＰＤソケット継手を取り
上げる。図１は、ＰＤソケット継手全体斜視図である。図２は、ＰＤソケット継手正面図
と側面図である。この２つの図を同時に参照して説明します。
【００４３】
ここで、１はＰＤ線であり溶着するための光線の通り道である。３は光接続端子であり光
線の光源より光ファイバーを引き込み、光ファイバーの先端のコネクターを装着して、Ｐ
Ｄ線に光線を連絡する。５は連絡部であり、右側螺旋状のＰＤ線と左側の螺旋状のＰＤ線
を連絡している。７はインジケーターであり、従来のＥＦ接合用の継手に用いられている
一般的なインジケーターである。１０はＰＤソケット継手本体である。
【００４４】
本発明のＰＤソケット継手は、１０のＰＤソケット継手本体と本体の両サイドに１のＰＤ
線と該ＰＤ線の両端が接続される一対の３の光接続端子および一対の７のインジケーター
により構成される。また、３の光接続端子は、一方の端子より入光した光線が漏出しないで残った光線をもう一方の端子より光源ヘ帰還させる働きもをする。
【００４５】
各部構成要素を詳細に説明する。１０のＰＤソケット継手本体は合成樹脂製であり、ポリ
エチレンやポリブデンや塩化ビニルなどの材質である。１のＰＤ線は、前記合成樹脂製の
ＰＤソケット継手本体の内周面に埋め込まれて配備される。
【００４６】
この１のＰＤ線は石英ガラスやＢＫ７などのガラス製であり、通信用のファイバーなどと
同様である。さらに、無色で透明な低密度のポリエチレンなどの材質でも支障はない。
【００４７】
本発明では、光線の通路となる１のＰＤ線にレーザー光線や赤外線領域の波長の光線を通
し、当該光線が１のＰＤ線の表面より線外へ漏出することにより合成樹脂製のソケット本
体と差し込まれた管の外周面を加熱して溶融させて、接合面を合成樹脂にて組織的に一体化させる。ここで、ＰＤ接合に使用するＰＤ線に入光される光線は、波長１０６４ｎｍのＮｄ：ＹＡＧレーザー光線、あるいは、０．７８μｍより１０００μｍの赤外線波長域の光線、あるいは、赤外線波長域の光線と可視光線や紫外線などの波長域も含んだ光線が代表的である。また、１０７０ｎｍのＹｂ：ファイバーレーザーなどもある。
【００４８】
このように、光線により溶融させて接合面を合成樹脂にて一体化させる接合方式であるＰ
Ｄ接合を用いるので、埋設穴内における管同士の接合作業や管と各種ＰＤ継手類やＰＤ部
品やＰＤ継手とＰＤ部品の接合作業に電気を使用することが全くないので重いコードドラ
ムなどを引き回すことも必要ない。
【００４９】
当該のＰＤ接合では、光源より接合作業をする所までは光ファイバーにより光線がひきま
される。しかしながら、光ファイバーは１００メートル引きますとしてもファイバーの重
量は電気ドラムと比較すると殆ど重量を感じない重さである。この様な利点も特筆すべき
効果である。
【００５０】
また、前述の様に電気を必要としないので、端子部の接触導通させるＥＦ接合の様に電気
的な火花が発生しないので、燃焼の三要素の着火源となる火花の発生を完全に封じること
が可能となる特徴を有することになった。
【００５１】
故に、本発明は、燃焼の三要素の着火源を埋設穴内の作業現場より取り除き安全な接合作
業をおこなえる第一特徴を有するＰＤ接合方式であり、当該第一特徴のＰＤ接合方式が第
一の発明となっている。
【００５２】
つぎに、３の光接続端子について、
図３は、ＰＤソケット継手断面図である。本図より１のＰＤ線の両端がそれぞれ３の光接
続端子に接続されている。この３の光接続端子は（図示していない。）、光源より接合場
所まで光ファイバーにて光線を引き回して来て、光ファイバーの先端に配備されている光
接続用のコネクターが装着される。装着されると同時に、該光接続端子を介して１のＰＤ
線に光線が入光される。
【００５３】
ここで、従来のＥＦ継手の端子との違いは、電流の流れは関係ないので、右側の光接続端
子からも左側の光接続端子からも同時に入光される。右側の光接続端子は右より差し込ま
れた管の外周面と１０のＰＤソケット継手本体内周面を、右側の螺旋状に配置された１の
ＰＤ線によって主に溶融させる。螺旋部を通過した残りの入光された光線は、５の連絡部
を通り左側の螺旋状のＰＤ線へ達して左側を溶融させる。同様に、左側の光接続端子から
入光した光線も同様になっている。
【００５４】
この様に、右の螺旋状のＰＤ線と左側の螺旋状のＰＤ線を１０のＰＤソケット継手本体内
で連絡してあることは、前述の様に右側の光接続端子から入光した光線は右側の螺旋状の
ＰＤ線を通り過ぎ、左側側の螺旋状のＰＤ線でも接合面の溶融に寄与するので、左右関係
なく均一な溶融になりやすい利点がある。それでも残る光線は左側の光接続端子より光源
へ帰還する。また、左側よりの入光した光線は同様に右側より帰還する。
【００５５】
また、図示していなが、前記５の連絡部を配備せずに、左右の螺旋状のＰＤ線をそれぞれ
独立させても支障はない。したがって、一対の端子と両端を接続する一本のＰＤ線の組み合わせを複数組配備して、より大口径の管に対応出来る様することも支障はない。
【００５６】
つぎに、７のインジケーターについて、
従来のＥＦ継手に用いられているインジケーターと同様で支障はない。ＥＦ接合でもＰＤ
接合でも同様で溶融が正常か否かを目視できれば役目を果たすので、より性能が良く安価
にできればその構造は問わない。また、一対のインジケーター以外に外周面全体について目視したいときには、配置個数を増やして外表面全体に千鳥や複数列に散らして配備することも可能で有る（図は不図示。）。
【００５７】
以上で使用した実施例の図１より図３には、左右より差し込まれる管の位置決めの凹凸や
位置決めプレートの配備などに関しては省略してあるので、適宜最適な方法を選択して支
障はない。
【００５８】
ここで、第二課題の解決とし、当該第二特徴のＰＤ継手ならびにＰＤ部品を第二の発明と
した内容についての説明をする。特許文献２  特願２０１７−０７８０８４号に記載の一
群のＥＦ継手ならびに一群のＥＦ部品において、ＥＦ接合用のＥＦ線と端子を本発明のＰ
Ｄ線ならびに光接続端子に置き換えるだけで、ＰＤ接合の一群のＰＤ継手ならびに一群の
ＥＦ部品となるので詳細は省略する。
【００５９】
また、特許文献２  特願２０１７−０７８０８４号に記載の一群の圧力抑制安全装置を本
発明の一群のＰＤ継手ならびに一群のＥＦ部品に装着することは何の支障もなく当然の流
れである。
【００６０】
最後に、
ＰＤＯＣＪ方式の各部位の詳細な説明は、・・・・に関する一群の追加、という発明の名
称で順次一群の追加を加えていきます。
【産業上の利用可能性】
【００６１】
従来技術の各種ＥＦ継手ならびにＥＦ部品を従来のＥＦ線をＰＤ線に代えることによりＰ
Ｄ継手ならびにＰＤ部品として供給することが出来て、燃焼の三要素より着火源を取り除
いた安全なガス工事ならびに今後増加する予想の水素配管工事を安全に施工出来る可能性
が濃厚である。
【００６２】
さらに、従来のガス事故では、工具や作業上の火花や作業者の静電気などが着火源となり
周囲の通行人や近隣の資産財産も巻き込む危害が発生していた。本発明によりこれらの危
害を最小限とする工事道具類や材料の新規な供給が期待できる。
【符号の説明】
【００６３】
１    ＰＤ線
３    光接続端子
５    連絡部
７    インジケーター
１０  ＰＤソケット継手本体
【手続補正書】
【提出日】平成30年5月4日(2018.5.4)
【手続補正１】
【補正対象書類名】明細書
【補正対象項目名】全文
【補正方法】変更
【補正の内容】
【発明の詳細な説明】
【技術分野】
【０００１】
本発明は、ＰＤ（ＰＤＯＣＪ）方式あるいはＰＤ接合に関する。
【０００２】
さらに、ＰＤ接合に関する全体ならびに代表的な特徴に関する。
【０００３】
さらに、本発明は、ＰＤ接合を実施するソケットＰＤ継手に関する。
【０００４】
ここで、
ＰＤ接合あるいはＰＤＯＣＪ方式あるいはＰＤ継手あるいはＰＤ部品あるいはＰＤ溶接およびＰＤ治療などに使用する ＰＤ ならびに ＰＤＯＣＪ  は、    Ｐｒｅｓｅｎｔ  Ｄｒｅａｍ  Ｏｕｒ  Ｃｈｉｌｄｒｅｎ  ａｌｌ-ｏｖｅｒ  Ｊａｐａｎ    より命名した。
【０００５】
なお、一年で纏まった以下のシリーズ文献である    特願２０１７−１００４３７  追加、特願２０１７−１１５５１８  追加２、特願２０１７−１４３１４１  追加３、特願２０１７−２０３００６  追加４、特願２０１７−２０８６９８  追加５、特願２０１８−９０１  追加６、特願２０１８−８７９３０    追加７  の中に記述明記した内容を再度反映して、明瞭で当業者が実施できる説明を加えた補正に関する。
【０００６】
当業者の知識において、合成樹脂であるポリエチレン製や塩化ビニル製などの管継手やＥＦ部品における溶着面を溶融させ、合成樹脂にて組織的に一体化させて固着する手段として、ＥＦ接合ではＥＦ線に電流を流し双方の溶着面を溶融させるが、本発明のＰＤ接合は、電流に代わり一対のＰＤ端子に接続されるＰＤ線に光線を入光させ、入光された光線の一部をＰＤ線外に漏出させ、当該の漏出光線がＰＤ線周囲の合成樹脂に照射し、反応および加熱による溶融をさせて双方の溶着面を溶融固着させる方式を手段としている。
【０００７】
さらに、当該のＰＤ接合では、ＰＤ線に入光させる光線は、ＰＤ線となるガラス製のファイバーには反応しない光線であって、ポリエチレンや塩化ビニルなどの合成樹脂に照射すると反応して加熱溶融あるいは加熱溶融させる光線であることは当業者の知識で十分理解できる。該知識の一片にあるようにレーザー光線や赤外線や遠赤外線の光線であることも理解できる。その光線の代表的な一例は、波長１０６４ｎｍのＮｄ：ＹＡＧレーザー光線や１０７０ｎｍのＹｂ：ファイバーレーザーなどがある。あるいは、０．７８μｍより１０００μｍの赤外線波長域の光線、あるいは、赤外線波長域の光線と可視光線や紫外線などの波長域も含んだ光線が代表的である。前述の反応して加熱溶融する光線はレーザー光線であることも知識の一片、さらに加熱溶融する光線は赤外線や遠赤外線の光線であることも知識の一片です。赤外線や遠赤外線の光線の一例としてはハロゲンランプが発する光線などであることも該知識の一片です。
【０００８】
前記の光線がＥＦ接合の電流に代わり、合成樹脂を溶融させる手段とするＰＤ接合に関する。
【０００９】
ならびに、ＰＤ接合により合成樹脂製の管に接合される各種の一群のＰＤ継手に関する。
【００１０】
ならびに、ＰＤ接合により合成樹脂製の継手に接合される各種の一群のＰＤ部品に関する。
【背景技術】
【００１１】
従来のＥＦ接合では、ＥＦ線と端子を配備し、融着用のコントローラーに接続した後に、ＥＦ線に通電して接合面を溶融させて、合成樹脂で組織的に一体化させて溶着固着する技術が一般的である。
【００１２】
当該ＥＦ接合によるＥＦ継手には、管同士を接続する特許文献１を例としたソケットやエルボならびに分岐取り出しするサービスチーならびにバイパスを構築したり玉入れを行うバイパスサドルが使われている。他には、管端を閉塞するキャップや特許文献２を例としたパージが出来るキャップなどの各種継手やＥＦ部品などがある。
【００１３】
また、従来の配管作業における主立った接続手段には、鋳鉄管などでは、ボルトナットとゴム輪を使用して接続作業を行っている。また、鋼管などでは、ＰＣＭ継手などが使用されている。さらに、水道では、塩化ビニル製の配管材料を接着剤などにより接続されている。
【先行技術文献】
【特許文献】
【００１４】
【特許文献１】特開平５−１５７１８９号
【特許文献２】特願２０１７−０７８０８４号
【発明の概要】
【発明が解決しようとする課題】
【００１５】
従来技術に鑑みて、ＥＦ接合ではコントローラーのコネクターとＥＦ端子とを接触子を用いて電流を導通するので、現場で当該接触部やコントローラーのケーブルなどに物が当たったり、作業員が躓いたりして接触部に不慮のズレが起きたり、断線によりショートして火花が発生する事がある。また、工事現場周囲には空気とガスは常に存在している。この空気とガスは燃焼の三要素の内の２要素である。さらに、当該の火花は着火源であり、２要素と一緒に揃うと三要素が全て揃い燃焼が起こりやすくなり危険である。工事現場を安全にするには、着火源の完全な排除が必須となっている。
【００１６】
そこで、通電を必須とするＥＦ接合では完全に当該排除をすることができないので、電流を流す通電を手段としない新たな接合手段を発明して、当該排除を完全目指すことを課題とする。ならびにより危険性の少ない接合手段の発明を課題とする。
【００１７】
つぎに、新たな接合手段の発明に伴って、当該接合手段を用いた各種継手や部品類の発明も課題である。
【課題を解決するための手段】
【００１８】
ＰＤＯＣＪ方式あるいはＰＤ方式である本発明を独自独創により創出して課題を解決する手段とした。  当該のＰＤＯＣＪ方式あるいはＰＤ方式は、ＥＦ線の周囲の合成樹脂を繪ｆ線に通電し発熱させて加熱溶融して溶融固着する方式に代わり、ＰＤ線に光線を入光させて、その一部を線外に漏出させ、該光線を溶融手段とするので通電する工程は皆無である。
【００１９】
当該方式の原理あるいは構造は、
１対のＰＤ端子間を接続するＰＤ線を溶着面に平行であって、ポリエチレン製や塩化ビニル製などの合成樹脂製管継手ならびにＰＤ部品の内部に埋め込んだＰＤ線に、照射することによりＰＤ線周囲の合成樹脂などに反応し加熱溶融させるレーザー光線やＰＤ線周囲の合成樹脂などに照射することにより加熱溶融させる赤外域光線や遠赤外線域光線や可視光域の光線も含んだ各光線をＰＤ端子よりＰＤ線に入光させ、１対の端子間を伝送する間に、ＰＤ線に入光した光線の一部を線外に漏出させて、当該漏出した光線をＰＤ線周囲の合成樹脂などに照射させて、ＰＤ線周囲の合成樹脂などを加熱溶融させて、溶着面同士を合成樹脂などで組織的に一体化させる原理あるいは構造となっている接合方式である。（代表的な特徴第一）
【００２０】
さらに、当該方式の原理あるいは構造を有する本発明のＰＤ接合を独自独創により創出し課題の解決手段とした。
【００２１】
さらに、当該ＰＤ接合に対応するＰＤ継手やＰＤ部品を発明創出して課題の解決手段とした。
【００２２】
ここで、合成樹脂製の管とＰＤ接合する継手としての実施例は、本発明では管継手のＥＦソケットに匹敵するソケットＰＤ継手を題材とした。
【発明の効果】
【００２３】
以上の手段を講じたことにより、
通電を行う必要性が無いという特徴が現れて、物が当たったり作業員が躓いたりして接触部が不慮のズレを起こしたり、断線によりショートして火花が発生したりする危険を回避でき、燃焼の三要素の中の着火源を排除出来た。したがって、工事作業者や工事現場周囲の皆様の安全を確保される効果が現れた。
【００２４】
さらに、進歩的で新規性に富んだＰＤ方式は各種のＰＤ継手の創出と新たな技術の創出において源となる。との推察が当然に産まれた。  さらに、配管部材である本発明者の曲がり管Ｎの特徴である材料費の削減と当該ＰＤ接合の作業効率の向上と日本技術の信用の３つの大きな特徴によって海外のライフラインの構築工事に参入がし易くなった効果も現れた。
【図面の簡単な説明】
【００２５】
【図１】ソケットＰＤ継手全体斜視図
【図２】ソケットＰＤ継手正面図と側面図
【図３】ソケットＰＤ継手断面図
【発明を実施するための形態】
【００２６】
本発明のシリーズにおいて、
当該の発明の  始まり  より  追加７  に至るまでに共通の点を列記します。  本発明では、進歩的であり引用文献になるような従来技術も無く、ＰＤ接合全体について大まかにでも記述しなければ当業者の知識では把握する術がない。そのため、説明文のみではあるが各種の特徴も列記しましたので参考にしてください。また、シリーズ中では図示説明されております。
【００２７】
本発明におけるＰＤ接合の代表的な特徴は、
１対のＰＤ端子間を接続する１本のＰＤ線（石英ガラスやＢＫ７製などや透明な低密度ポリエチレン製）を溶着面（平面状や内外周面状や丸面取り面あるいは角面取り面の曲面状や平面状）に平行であって、ポリエチレン製や塩化ビニル製などの合成樹脂製管継手ならびにＰＤ部品の内部に埋め込んだＰＤ線に、照射することによりＰＤ線周囲の合成樹脂などに反応し加熱溶融させる光線（レーザー光線など）やＰＤ線周囲の合成樹脂などに照射することにより加熱溶融させる赤外域光線や遠赤外線域光線や可視光域の光線も含んだ各光線（ハロゲンランプの光線など）をＰＤ線に入光させて、１対の端子間を伝送する間に、ＰＤ線に入光した光線の一部を線外に漏出させて、当該漏出した光線をＰＤ線周囲の合成樹脂などに照射させて、ＰＤ線周囲の合成樹脂などを加熱溶融させて、溶着面同士を合成樹脂などで組織的に一体化させる接合方式が、ＰＤ接合の原理あるいは構造である特徴を有する形態をしている。（代表的な特徴第一）
【００２８】
つぎに、
ＰＤ線に入光させる光線は、ＰＤ線となるガラス製のファイバーには反応しない光線であり、ポリエチレンや塩化ビニルなどの合成樹脂に照射することで、反応して加熱溶融あるいは加熱溶融させる光線である事に特徴を有する形態をしている。（代表的な特徴第二）
【００２９】
つぎに、
ＰＤ線に入光した光線はＰＤ線内を伝送する際に、ＰＤ線内で全反射を繰り返す場合と一部が全反射せずに線外に漏出する場合の境界となる臨界角となるＰＤ線の口径を臨界口径とし、臨界口径よりＰＤ線の口径が細い場合には漏出する事無く全反射を繰り返してＰＤ線を伝送して行く。また、ＰＤ線の口径が太い場合には反射して伝送する光線と一部の光線が漏出しながら伝送する。この２種類の口径を有するＰＤ線を本発明のＰＤ線とすることができる点に特徴を有する形態をしている。（代表的な特徴第三）
【００３０】
つぎに、
伝送ファイバーとＰＤ端子の光線伝達は、平面研磨や球面研磨を伝送ファイバーとＰＤ端子の各先端に施し、先端に施した研磨面同士を軸心が同一でありバネ力などで加圧接触させて伝達させる特徴を有する形態をしている。（代表的な特徴第四）  また、本シリーズでは、当該の特徴以外の伝達手段をも講ずる。
【００３１】
つぎに、
一対のＰＤ端子に接続されたＰＤ線に一方の端子より入光した光線は、溶融に費やした漏出した光線以外の残った光線が、反対側の端子より必ず光源側へ帰還させる特徴を有する形態をしている。（代表的な特徴第五）
【００３２】
つぎに、
当該の一方の端子より出光した光線の帰還は、初段はＰＤ端子へ向かう光軸とハーフミラーなどで光軸の向きを変えて、さらに複数のミラーで所望の光軸方向をかえ、最終段では反射板あるいはミラーにより伝送ファイバーに再入光する特徴を有する形態をしている。（代表的な特徴第六）
【００３３】
つぎに、
ＰＤ線に入光した光線を如何にして漏出させるかと云う点について、本発明ではＰＤ線の口径により手段が異なる。臨界口径より太い口径のＰＤ線では、漏出する光線量（エネルギー）は、臨界口径より太くなれば全反射ではなく、一部が線外に漏出して溶融させる光線となるので漏出光線量はＰＤ線の口径の大きさを変化させて漏出光線量を調整ならびに制御する手段に特徴を有する形態をしている。（代表的な特徴第七）
【００３４】
つぎに、
ＰＤ線の口径が、臨界口径より細い全反射を繰り返すＰＤ線より漏出をさせる手段は、本シリーズの先行文献にあるように、ＰＤ線の表面にＰＤ線中心方向に凹みを分布発生させ、線内部に突き出た凹み部で全反射ではなく乱反射をさせて一部を線外へ漏出をさせる手段とした特徴を有する形態をしている。（代表的な特徴第八）
【００３５】
つぎに、
前記凹みがＰＤ線の表面に均一に配備されれば問題ないが、不均一にならざるを得ない時には加熱溶融まで不均一となる可能性がある。その防止策として、目荒らし部位に熱伝導の良い金属被覆を施すことにより、ＰＤ線に面する被覆面が不均一に加熱溶融がされても、合成樹脂に面する面は略均一に温度が上昇してＰＤ線周囲の合成樹脂などを略均一に加熱溶融できる特徴を有する形態をしている。（代表的な特徴九）
【００３６】
つぎに、
インジケーターは一対のインジケーター配置以外に、複数のインジケーターを溶着面上で継手の外表面側に配置し、溶着面全域の溶融状況を目視出来る様にした特徴を有する形態をしている。（代表的な特徴第十）
【００３７】
つぎに、
一対のＰＤ端子と端子間に接続された１本のＰＤ線の組み合わせを１ブロックとし、当該ブロックを複数ブロック配備する特徴を有している。また、１ブロックに複数配置されたインジケーターと同様に複数ブロックにも複数配置されたインジケーターの特徴を有する形態をしている。（代表的特徴第十一）    
【実施例】
【００３８】
以上を踏まえて本発明の実施例を説明する。本発明の代表としてソケットＰＤ継手を取り上げる。図１は、ソケットＰＤ継手全体斜視図である。図２は、ソケットＰＤ継手の正面図と側面図である。この２つの図を同時に参照して説明します。
【００３９】
ここで、１はＰＤ線であり溶着するための光線の伝送路である。３はＰＤ端子であり光線の光源より光ファイバーを引き回された光ファイバーの先端のコネクターを装着して、ＰＤ線に光線を伝達する端子である。５は連絡部であり、右側螺旋状のＰＤ線と左側の螺旋状のＰＤ線を連絡している。７はインジケーターであり、従来のＥＦ接合用の継手に用いられている一般的なインジケーターである。１０はソケットＰＤ継手本体である。
【００４０】
本発明のソケットＰＤ継手は、１０のＰＤソケット継手本体と本体の両サイドに１のＰＤ線と該ＰＤ線の両端が接続される一対の３の光接続端子および一対の７のインジケーターにより構成される。
【００４１】
各部構成要素を詳細に説明する。１０のソケットＰＤ継手本体は合成樹脂製であり、ポリエチレンやポリブデンや塩化ビニルなどの材質である。１のＰＤ線は、前記合成樹脂製のソケットＰＤ継手本体の内周面に埋め込まれて配備される。この１のＰＤ線は石英ガラスやＢＫ７などのガラス製であり、通信用のファイバーなどと同様である。さらに、無色で透明な低密度のポリエチレンなどの材質とする特異な場合もある。
【００４２】
本発明では、光線の通路となる１のＰＤ線にレーザー光線や赤外線領域の波長の光線を通し、当該光線が線内を伝送する間に１のＰＤ線の表面より線外へ漏出させ、漏出した光線がＰＤ線周囲の合成樹脂に照射して反応し加熱溶融させ、合成樹脂製のソケット本体溶着面と差し込まれた管の外周面の溶着面を加熱して溶融させて、接合面を合成樹脂にて組織的に一体化させる。（代表的な特徴第一）（代表的な特徴第二）
【００４３】
このように、光線により溶融させて接合面を合成樹脂にて組織的に一体化させる接合方式であるＰＤ接合を用いるので、埋設穴内における管同士の接合作業や管と各種ＰＤ継手類やＰＤ部品やＰＤ継手とＰＤ部品の接合作業に電気を使用することが全くないので重いコードドラムなどを引き回すことも必要ない。
【００４４】
当該のＰＤ接合では、光源より接合作業をする所までは光ファイバーにより光線が引き回される。しかしながら、光ファイバーは１００メートル引き回してもファイバーの重量は電気ドラムと比較すると殆ど重量を感じない重さである。この様な利点も特筆すべき効果である。
【００４５】
また、前述の様に通電を必要としないので、端子部の接触導通させるＥＦ接合の様に電気的な火花が発生しないので、燃焼の三要素の着火源となる火花の発生を完全に封じることが可能となる特徴を有することになった。
【００４６】
故に、本発明は、燃焼の三要素の着火源を埋設穴内の作業現場より取り除き安全な接合作業をおこなえる特徴を有するＰＤ接合方式である。
【００４７】
つぎに、３のＰＤ端子について、
図３は、ソケットＰＤ継手断面図である。本図より１のＰＤ線の両端がそれぞれ３のＰＤ端子に接続されている。この３のＰＤ端子は（図示していない。）、光源より接合場所まで光ファイバーにて光線を引き回して来て、光ファイバーの先端に配備されている光接続用のコネクターが装着される。装着されると同時に、該光接続端子を介して１のＰＤ線に光線が入光される。
【００４８】
ここで、従来のＥＦ継手の端子との違いは、電流の流れは関係ないので、右側のＰＤ端子からも左側のＰＤ端子からも同時に入光される。右側のＰＤ端子は右より差し込まれた管の外周面と１０のソケットＰＤ継手本体内周面を、右側の螺旋状に配置された１のＰＤ線によって主に溶融させる。螺旋部を通過した残りの入光された光線は、５の連絡部を通り左側の螺旋状のＰＤ線へ達して左側を溶融させる。同様に、左側のＰＤ端子から入光した光線も同様になっている。
【００４９】
この様に、右の螺旋状のＰＤ線と左側の螺旋状のＰＤ線を１０のソケットＰＤ継手本体内で連絡してあることは、前述の様に右側の光接続端子から入光した光線は右側の螺旋状のＰＤ線を通り過ぎ、左側側の螺旋状のＰＤ線でも接合面の溶融に寄与するので、左右関係なく均一な溶融になりやすい利点がある。それでも残る光線は左側のＰＤ端子より光源へ帰還する。また、左側よりの入光した光線は同様に右側より帰還する。（代表的な特徴第五）
【００５０】
また、図示していなが、前記５の連絡部を配備せずに、左右の螺旋状のＰＤ線をそれぞれ独立させても支障はない。この場合には、それぞれ一対のＰＤ端子とインジケーターも配置される。また、このように左右のブロックに分ける場合は大口径の合成樹脂の管に対する場合である。したがって、各ブロックの溶着面積も大きくなるので、インジケーターをブロック全体に千鳥状や碁盤状に複数配備して、全体について目視確認出来る様にしても良い。
【００５１】
つぎに、７のインジケーターについて、
従来のＥＦ継手に用いられているインジケーターと同様で支障はない。ＥＦ接合でもＰＤ接合でも同様で溶融が正常か否かを目視できれば役目を果たすので、より性能が良く安価にできればその構造は問わない。また、配置構造は前記に記述の様でも支障はない。
【００５２】
以上で使用した実施例の図１より図３には、左右より差し込まれる管の位置決めの凹凸や位置決めプレートの配備などに関しては省略してあるので、適宜最適な方法を選択して支障はない。
【００５３】
つぎに、特許文献２  特願２０１７−０７８０８４号に記載の一群のＥＦ継手ならびに一群のＥＦ部品において、ＥＦ接合用のＥＦ線とＥＦ子を本発明のＰＤ線ならびにＰＤ端子に置き換えるだけで、ＰＤ接合の一群のＰＤ継手ならびに一群のＰＤ部品となるので詳細は省略する。
【００５４】
また、特許文献２に記載の一群の圧力抑制安全装置を本発明の一群のＰＤ継手ならびに一群のＰＤ部品に装着することは何の支障もなく当然の流れである。
【００５５】
さらに、右側に前記ブロックを複数ブロック配備し各ブロックの間にはコールド部が必要に応じて配備されても支障はない。左側についても同様である。
【産業上の利用可能性】
【００５６】
従来技術の各種ＥＦ継手ならびにＥＦ部品を従来のＥＦ線をＰＤ線に代えることによりＰＤ継手ならびにＰＤ部品として供給することが出来て、燃焼の三要素より着火源を取り除いた安全なガス工事ならびに今後増加する予想の水素配管工事を安全に施工出来る可能性が濃厚である。
【符号の説明】
【００５７】
１    ＰＤ線
３    ＰＤ端子
５    連絡部
７    インジケーター
１０    ソケットＰＤ継手本体
【手続補正２】
【補正対象書類名】特許請求の範囲
【補正対象項目名】全文
【補正方法】変更
【補正の内容】
【特許請求の範囲】
【請求項１】
１対のＰＤ端子間を接続する１本のＰＤ線にレーザー光線や遠赤外線域光線を入光させ、１対の端子間を伝送する間に、ＰＤ線に入光した光線の一部を線外に漏出させ、当該漏出した光線をＰＤ線周囲の合成樹脂などに照射させ、ＰＤ線周囲の合成樹脂などを加熱溶融させることにより、溶着面同士を合成樹脂などで組織的に一体化させる特徴を有するＰＤ接合方式の構造。
【請求項２】
電気的に火花が発生しない接合方式により、燃焼の三要素の着火源となる火花の発生を完全に封じることが可能となる特徴を有し、燃焼の三要素の着火源を埋設穴内の作業現場より取り除き安全な接合作業をおこなえる特徴を有する請求項１に記載のＰＤ接合の構造。
【請求項３】
請求項１より請求項２のいずれかに記載の特徴を有するＰＤ接合方式を応用した一群のＰＤ継手ならびに一群のＰＤ部品。
【請求項４】
一群の圧力抑制安全装置を装着する請求項１より請求項３のいずれかに記載の一群のＰＤ継手ならびに一群のＰＤ部品。